(57)【要約】      （修正有）【課題】加湿した用紙の乾燥性能の向上を図る。【解決手段】水冷却部１５２は、タンク１３０から流出した水を冷却し、熱交換部１５４は、搬送過程にある用紙Ｐあるいは当該用紙Ｐにより加熱される第１の搬送路ＰＰ１と、水冷却部１５２による冷却後の水との間で熱交換を行うことにより、発熱部の放熱を行う。そして、加湿部１１０は、熱交換部１５４を通過した後にタンク１３０に貯えられる水を用いて、用紙Ｐに対する加湿を行う。【選択図】図１
2011105453.tif 000002
【特許請求の範囲】
【請求項１】
用紙の加湿に供する水を貯えるタンクと、
前記タンクから供給された水を冷却する水冷却部と、
前記水冷却部による冷却後の水と、装置内に存在する発熱部との間で熱交換を行うことにより、前記発熱部の放熱を行う熱交換部と、
前記熱交換部による熱交換が行われた水を用いて、用紙に対する加湿を行う加湿部と
を有することを特徴とする用紙加湿装置。
【請求項２】
前記タンクに蓄えられた水が循環する循環流路をさらに有し、
前記循環流路は、それぞれ独立した系統の流路として、
前記水が、前記タンクから前記加湿部を経由して前記タンクへ戻る第１の系統の流路と、
前記水が、前記タンクから前記水冷却部、前記熱交換部を順次経由して前記タンクへ戻る第２の系統の流路と
を有することを特徴とする請求項１に記載された用紙加湿装置。
【請求項３】
前記タンクに蓄えられた水が循環する循環流路をさらに有し、
前記循環流路は、前記水が、前記タンクから前記水冷却部、前記熱交換部、前記加湿部を順次経由して前記タンクへ戻る流路であることを特徴とする請求項１に記載された用紙加湿装置。
【請求項４】
前記加湿部に供給される水の温度を検出する検出部と、
オンオフ切換可能に構成されて、前記加湿部に供給される水を加温する加温部と、
前記検出部によって検出される水の温度に基づいて、前記加湿部に供給される水の温度が所定の温度以上となるように、前記加温部を制御する制御部と
を有することを特徴とする請求項１から３のいずれかに記載された用紙加湿装置。
【請求項５】
用紙に画像を形成する画像形成装置と、
前記画像形成装置から排出される用紙を処理対象として、当該用紙に対する加湿を行う用紙加湿装置とを有し、
前記用紙加湿装置は、
用紙の加湿に供する水を貯えるタンクと、
前記タンクから供給された水を冷却する水冷却部と、
前記水冷却部による冷却後の水と、発熱部との間で熱交換を行うことにより、前記発熱部の放熱を行う熱交換部と、
前記熱交換部による熱交換が行われた水を用いて、用紙に対する加湿を行う加湿部とを有し、
前記熱交換部は、前記画像形成装置内および前記用紙加湿装置内の一方または双方に存在する前記発熱部を利用して熱交換を行うことを特徴とする画像形成システム。
【請求項６】
前記タンクに蓄えられた水が循環する循環流路をさらに有し、
前記熱交換部は、前記用紙加湿装置内に設けられた第１の熱交換部と、前記画像形成装置内に設けられた第２の熱交換部とを有し、
前記循環流路は、それぞれ独立した系統の流路として、
前記水が、前記タンクから前記加湿部を経由して前記タンクへ戻る第１の系統の流路と、
前記水が、前記タンクから前記水冷却部、前記第２の熱交換部、前記第１の熱交換部を順次経由して前記タンクへ戻る第２の系統の流路と
を有することを特徴とする請求項５に記載された画像形成システム。
【発明の詳細な説明】
【技術分野】
【０００１】
本発明は、用紙加湿装置および画像形成システムに関する。
【背景技術】
【０００２】
電子写真プロセスによる画像形成では、プロセス中の定着工程において、熱と圧力とによりトナーを溶融し、用紙に画像を定着することが行われる。その際に、熱により用紙から水分が蒸発する現象が起こるため、定着後、用紙が外気に曝されることにより、用紙が外気から水分を吸収する現象が起こる。この水分の蒸発および水分の吸収は用紙の表裏面で違う割合で起こるために、用紙の波打ちやカールが発生するという問題がある。
【０００３】
そこで、画像形成された用紙のカール等の矯正を目的として、用紙に水を与えて加湿を行う手法が提案されている（例えば、特許文献１参照）。
【先行技術文献】
【特許文献】
【０００４】
【特許文献１】特開２００７−２８４１５７号公報
【発明の概要】
【発明が解決しようとする課題】
【０００５】
しかしながら、特許文献１に開示された手法によれば、常温の水を用いて加湿を行うため、加湿後の用紙が十分に乾燥されないといった可能性がある。この場合には、加湿によって与えられて、乾燥されずに残留した水が搬送ローラ等の搬送路形成部材に蓄積するといった可能性がある。
【０００６】
本発明はかかる事情に鑑みてなされたものであり、その目的は、加湿した用紙の乾燥性能の向上を図ることにある。
【課題を解決するための手段】
【０００７】
かかる課題を解決するために、第１の発明は、用紙加湿装置を提供する。この用紙加湿装置は、用紙の加湿に供する水を貯えるタンクと、タンクから供給された水を冷却する水冷却部と、水冷却部による冷却後の水と、装置内に存在する発熱部との間で熱交換を行うことにより、発熱部の放熱を行う熱交換部と、熱交換部による熱交換が行われた水を用いて、用紙に対する加湿を行う加湿部とを有する。
【０００８】
ここで、第１の発明は、タンクに蓄えられた水が循環する循環流路をさらに有することが好ましい。この場合、循環流路は、それぞれ独立した系統の流路として、水が、タンクから加湿部を経由してタンクへ戻る第１の系統の流路と、水が、タンクから水冷却部、熱交換部を順次経由してタンクへ戻る第２の系統の流路とを有することができる。あるいは、循環流路は、水が、タンクから水冷却部、熱交換部、加湿部を順次経由してタンクへ戻る流路であってもよい。
【０００９】
また、第１の発明は、加湿部に供給される水の温度を検出する検出部と、オンオフ切換可能に構成されて、加湿部に供給される水を加温する加温部と、検出部によって検出される水の温度に基づいて、加湿部に供給される水の温度が所定の温度以上となるように、加温部を制御する制御部とを有していてもよい。
【００１０】
また、第２の発明は、用紙に画像を形成する画像形成装置と、画像形成装置から排出される用紙を処理対象として、この用紙に対する加湿を行う用紙加湿装置とを有する画像形成システムを提供する。この場合、用紙加湿装置は、用紙の加湿に供する水を貯えるタンクと、タンクから供給された水を冷却する水冷却部と、水冷却部による冷却後の水と、発熱部との間で熱交換を行うことにより、発熱部の放熱を行う熱交換部と、熱交換部による熱交換が行われた水を用いて、用紙に対する加湿を行う加湿部とを有する。ここで、熱交換部は、画像形成装置内および用紙加湿装置内の一方または双方に存在する発熱部を利用して熱交換を行う。
【００１１】
ここで、第２の発明は、タンクに蓄えられた水が循環する循環流路をさらに有していてもよく、熱交換部は、用紙加湿装置内に設けられた第１の熱交換部と、画像形成装置内に設けられた第２の熱交換部とを有することが望ましい。この場合、循環流路は、それぞれ独立した系統の流路として、水が、タンクから加湿部を経由してタンクへ戻る第１の系統の流路と、水が、タンクから水冷却部、第２の熱交換部、第１の熱交換部を順次経由してタンクへ戻る第２の系統の流路とを有することが好ましい。
【発明の効果】
【００１２】
本発明によれば、熱交換部を通過することにより暖められた水を用いて加湿部が用紙への加湿を行うことで、常温の水を用いて加湿を行う場合と比較して、加湿後の用紙の乾燥性能の向上を図ることができる。また、加湿に供する水により装置内に存在する発熱部の熱を冷却し、冷却によって得られた熱によって加湿に供する水を温めているので、装置内の熱利用により有効に上記の効果を得ることができる。
【図面の簡単な説明】
【００１３】
【図１】第１の実施形態にかかる用紙搬送装置１の構成を模式的に示す断面図
【図２】熱交換部１５４を模式的に示す説明図
【図３】第１の実施形態にかかる用紙搬送装置１の構成を、制御部１８０および水の循環流路を中心に示す模式図
【図４】ヒータ１３１による調温制御の動作を示すフローチャート
【図５】第１の実施形態の変形例としての用紙搬送装置１の構成を、制御部１８０および水の循環流路を中心に示す模式図
【図６】第２の実施形態にかかる画像形成システムの構成を模式的に示す説明図
【図７】第２の実施形態の画像形成システムの構成を、画像形成装置１の制御部９０および水の循環流路を中心に示す模式図
【発明を実施するための形態】
【００１４】
（第１の実施形態）
図１は、本発明の第１の実施形態にかかる用紙搬送装置１の構成を模式的に示す断面図である。この用紙搬送装置１は、画像形成装置（図示せず）において画像形成された用紙Ｐを搬送し、用紙Ｐを機外の排紙トレイ（図示せず）に排出したり、後段に控える後処理装置（図示せず）に供給したりするための装置である。また、この用紙搬送装置１は、必要に応じて、加湿およびカール矯正の一方または双方の処理を用紙Ｐに対して行うことができる用紙加湿装置およびカール矯正装置としての機能も備えている。この用紙搬送装置１は、加湿部１１０と、第１および第２のカール矯正部１６０，１７０と、制御部１８０（図１において図示せず）とを主体に構成されている。
【００１５】
この用紙搬送装置１において、画像形成装置において画像形成された用紙Ｐは、導入部１０１から第１の搬送路ＰＰ１に導入される。第１の搬送路ＰＰ１に導入された用紙Ｐは、第２の搬送路ＰＰ２または第３の搬送路ＰＰ３を選択的に通過し、当該搬送路ＰＰ２，ＰＰ３の搬送過程において種々の処理が必要に応じて施され、その後、用紙搬送装置１から排出される。第２の搬送路ＰＰ２または第３の搬送路ＰＰ３の選択は、切換ゲート１０２により行われる。
【００１６】
第２の搬送路ＰＰ２は、一連の経路が上に凸となるような略逆Ｕ字状を有しており、第１の搬送路ＰＰ１を通過した用紙Ｐは、鉛直上方に進行した後、Ｕターンして鉛直下方に進行し、その後、機外へ排出される。一方、第３の搬送路ＰＰ３は、一連の経路が下に凸となるような略Ｕ字状を有しており、第１の搬送路ＰＰ１を通過した用紙Ｐは、鉛直下方に進行した後、Ｕターンして鉛直上方に進行し、その後、第２の搬送路ＰＰ２へ供給される。第１の搬送路ＰＰ１において、用紙ＰはローラＲ１により搬送され、第２の搬送路ＰＰ２において、用紙Ｐは各ローラＲ２〜Ｒ５によりそれぞれ搬送され、また、搬送路ＰＰ３において、用紙Ｐは各ローラＲ６〜Ｒ１１によりそれぞれ搬送される。
【００１７】
第２の搬送路ＰＰ２には、第１および第２のカール矯正部１６０，１７０が配置され、第３の搬送路ＰＰ３には、加湿部１１０が配置される。用紙搬送装置１の動作モードが、用紙Ｐに対して用紙搬送装置１による処理を行わない処理無しモード、または、用紙Ｐに対して加湿を行わずカール矯正のみを行う第１カール矯正モードである場合、用紙Ｐは、第１および第２の搬送路ＰＰ１、ＰＰ２を通過する。これに対して、動作モードが、用紙Ｐに対して加湿のみを行う加湿モード、または、用紙Ｐに対して加湿およびカール矯正を行う第２カール矯正モードである場合、用紙Ｐは、第１および第３の搬送路ＰＰ１、ＰＰ３と、第２の搬送路ＰＰ２の一部とを通過する。
【００１８】
加湿部１１０は、一対の加湿ユニット１２０Ａ，１２０Ｂと、当該加湿ユニット１２０Ａ，１２０Ｂのそれぞれに水を供給するタンク１３０とを主体に構成されている。一対の加湿ユニット１２０Ａ，１２０Ｂは、第３の搬送路ＰＰ３において用紙Ｐが上方に進行する経路領域に、当該搬送路ＰＰ３を隔てて対向するように左右対称に配置されている。また、タンク１３０は、一対の加湿ユニット１２０Ａ，１２０Ｂの下方に配置されている。
【００１９】
第１の加湿ユニット１２０Ａは、加湿ローラ１２１Ａ、給水ローラ１２２Ａ、給水槽１２３Ａおよび乾燥ファン１２４Ａを有し、第２の加湿ユニット１２０Ｂも同様に、加湿ローラ１２１Ｂ、給水ローラ１２２Ｂ、給水槽１２３Ｂおよび乾燥ファン１２４Ｂを有している。各加湿ユニット１２０Ａ，１２０Ｂの加湿ローラ１２１Ａ，１２１Ｂは互いに接触しており、図中矢印で示すように互いに回転することにより、用紙Ｐを上方に搬送しつつ、用紙Ｐに水を付与して加湿を行う。
【００２０】
第１の加湿ユニット１２０Ａにおいて、加湿ローラ１２１Ａには給水ローラ１２２Ａが接触しており、第２の加湿ユニット１２０Ｂにおいて、加湿ローラ１２１Ｂには給水ローラ１２２Ｂが接触している。一方の給水ローラ１２２Ａは給水槽１２３Ａに収容されている水に浸漬され、また、他方の給水ローラ１２２Ｂは給水槽１２３Ｂに収容されている水に浸漬されている。各加湿ローラ１２１Ａ，１２１Ｂ、および各給水ローラ１２２Ａ，１２２Ｂとしては、発泡製でないソリッドゴム、発泡性ゴム等の弾性材料の単層若しくは複層構成のローラ、またはゴムに繊維を巻き付けた複層構成のローラが用いられる。例えば、各加湿ローラ１２１Ａ，１２１Ｂは、金属からなる軸心と、この軸心の上に形成されるゴム層とでそれぞれ構成され、各給水ローラ１２２Ａ，１２２Ｂは、金属からなる軸心と、その上に形成されるゴム層とでそれぞれ構成されている。
【００２１】
各給水ローラ１２２Ａ，１２２Ｂには、規制部材がそれぞれ取り付けられており、各規制部材が個々の給水ローラ１２２Ａ、１２２Ｂをそれぞれ機械的に圧搾することにより、給水ローラ１２２Ａ，１２２Ｂの含水量が最適量に規制される。このような制御部材としては、回転または固定の丸棒を用いることができ、これ以外にも、板状のブレードを用いることもできる。
【００２２】
各乾燥ファン１２４Ａ，１２４Ｂは、用紙Ｐの片面に乾燥風をそれぞれ吹き付けることにより、用紙Ｐの両面に乾燥風を吹き付ける。乾燥ファン１２４Ａ，１２４Ｂで用紙Ｐに乾燥風を吹き付けることにより、加湿直後の用紙Ｐから余分な水分を蒸発させることができる。これにより、加湿によって与えられた水が搬送ローラ等の搬送路形成部材に蓄積するといった事態を抑制することができる。
【００２３】
加湿処理において、加湿ローラ１２１Ａ，１２１Ｂ、給水ローラ１２２Ａ，１２２Ｂはそれぞれ矢印のように回転して、用紙Ｐの両面に水分を付与して加湿処理を行う。加湿ローラ１２１Ａ，１２１Ｂ、および給水ローラ１２２Ａ，１２２Ｂは、搬送路ＰＰ３を中心に左右対称に配置されている。そのため、給水槽１２３Ａから加湿ローラ１２１Ａに至る給水経路と、給水槽１２３Ｂから加湿ローラ１２１Ｂに至る給水経路が、形状および長さに関して対応する。したがって、用紙Ｐの両側から均等な給水を行うことが可能となる。しかも、第３の搬送路ＰＰ３の垂直に上昇する領域において用紙Ｐに対する加湿が行われるので、用紙Ｐの厚み方向において水分が均等に供給されることとなり、用紙Ｐのフラットネスが良好に維持される。
【００２４】
タンク１３０は、用紙Ｐを加湿するための水を貯えている。このタンク１３０には、タンク１３０内の水、すなわち、加湿部１１０に供給する水を加温するためのヒータ１３１と、加湿部１１０に供給する水の温度を検出する温度センサ１３２とが設けられている。
【００２５】
また、タンク１３０には、一対の給水流路１４０Ａ，１４０Ｂと、冷却流路１５０とが接続されており、タンク１３０に貯えられた水は、これらの流路１４０Ａ，１４０Ｂ，１５０を介して循環可能に構成されている。同図に示す構成において、一対の給水流路１４０Ａ，１４０Ｂと、冷却流路１５０とはそれぞれ独立した系統の流路として構成されている。
【００２６】
一対の給水流路１４０Ａ，１４０Ｂは、一対の加湿ユニット１２０Ａ，１２０Ｂに対応して設けられている。個々の給水流路１４０Ａ，１４０Ｂは、タンク１３０の水を給水槽１２３Ａ，１２３Ｂにそれぞれ供給する機能を担っており、タンク１３０から給水槽１２３Ａ，１２３Ｂを経由してタンク１３０へと戻る、いわゆる、閉回路として構成されている。各給水流路１４０Ａ，１４０Ｂには、水を循環させるためのポンプ１４１Ａ，１４１Ｂがそれぞれ設けられており、タンク１３０内の水は、各ポンプ１４１Ａ，１４１Ｂにより給水槽１２３Ａ，１２３Ｂにそれぞれ汲み上げられる。また、給水槽１２３Ａ，１２３Ｂからタンク１３０へと水を帰還させる流路は、オーバーフロー構造として構成されており、給水槽１２３Ａ，１２３Ｂ内の水は、オーバーフローによってタンク１３０に還流し、これにより、給水槽１２３Ａ、１２３Ｂの水位が一定に維持される。なお、一方の給水槽１２３Ａと他方の給水槽１２３Ｂとは連通しており、両者における水位は同一レベルとなるように維持される。
【００２７】
冷却流路１５０は、機内に導入された用紙Ｐ、すなわち、画像定着後の用紙Ｐの冷却を行うため機能を担っており、タンク１３０を始点および終点として水が循環する閉回路として構成されている。この冷却流路１５０には、水を循環するためのポンプ１５１と、水冷却部１５２と、熱交換部１５４とが設けられており、ポンプ１５１の動作により、タンク１３０内の水は、タンク１３０から水冷却部１５２、熱交換部１５４を順次経由してタンク１３０へと戻る。
【００２８】
水冷却部１５２は、フィン形状を有しており、水冷却部１５２の周囲の雰囲気（空気）と、その内部を通過する水との間で熱交換が行われることにより、タンク１３０からの水を冷却する。また、水冷却部１５２の近傍には、水冷却部１５２による水の冷却性能を向上させる観点から、水冷却部１５２を送風する冷却ファン１５３が設けられている。
【００２９】
熱交換部１５４は、画像形成装置から導入された用紙Ｐの搬送路、具体的には、第１の搬送路ＰＰ１を挟むように上下に取り付けられている。この熱交換部１５４は、第１の搬送路ＰＰ１を構成する部材と面接触した状態で配置されており、第１の搬送路ＰＰ１および当該搬送路ＰＰ１を搬送される用紙Ｐと、内部を通過する水との間で熱交換が行われることにより、搬送される用紙Ｐを冷却する。熱交換部１５４は、例えば、図２に示すように、板状部材（例えば、熱伝導率の高いアルミ製の板状部材）の内部に流路が張り巡らされており、これにより、第１の搬送路ＰＰ１およびそこを搬送される用紙Ｐは、用紙Ｐに対応する領域が均一的かつ効率的に冷却されるようになっている。
【００３０】
再び図１を参照するに、第１および第２のカール矯正部１６０，１７０は、用紙Ｐに生じているカールを機械的に矯正する機能を担っている。具体的には、第１のカール矯正部１６０は、下カール、即ち、中央部が谷となっているカールを矯正し、第２のカール矯正部１６０は、上カール、即ち、中央部が山となっているカールを矯正する。第２の搬送路ＰＰ２において、第１のカール矯正部１６０は、第２のカール矯正部１６０よりも前段に設けられている。
【００３１】
第１のカール矯正部１６０は、小径ローラ（例えば半径７ｍｍ）と、一対のベルト駆動ローラと、当該ローラ対に張架されたベルトとで構成される。第１のカール矯正部１６０の前段には、第２の搬送路ＰＰ２における用紙Ｐの経路を切り替える切替ゲート１６１が設けられている。第２の搬送路ＰＰ２を搬送される用紙Ｐは、切替ゲート１６１の位置に応じて、第１のカール矯正部１６０を通らずに用紙Ｐが搬送される第１の経路と、第１のカール矯正部１６０を経由して用紙Ｐが搬送される第２の経路とが選択される。第２の搬送路ＰＰ２は大きな曲率半径（例えば半径６０ｍｍ）を有しており、用紙Ｐが単に通過する場合にはカール矯正は行われない。これに対して、用紙Ｐが第１のカール矯正部１６０を経由する場合、用紙Ｐは第１のカール矯正部１６０を構成する小径ローラとベルトとによる曲げ力を受けてカール矯正される。これにより、下カールした用紙Ｐが矯正され、概ねフラットの状態の用紙Ｐへと矯正される。
【００３２】
上記切替ゲート１６１は、動作モードが処理なしモードおよび加湿モードの場合、あるいは、第１および第２カール矯正モードであっても上カールを矯正するモードである場合には、第１の経路を用紙Ｐが通過するように設定される。一方、切替ゲート１６１は、動作モードが第１および第２カール矯正モードであって、かつ下カールを矯正するモードである場合には、第２の経路を用紙Ｐが通過するように設定される。
【００３３】
第２のカール矯正部１７０は、小径ローラ（例えば半径７ｍｍ）と、一対のベルト駆動ローラと、当該ローラ対に張架されたベルトとで構成される。第２のカール矯正部１７０の前段には、第２の搬送路ＰＰ２における用紙Ｐの経路を切り替える切替ゲート１７１が設けられている。第２の搬送路ＰＰ２を搬送される用紙Ｐは、切替ゲート１７１の位置に応じて、第２のカール矯正部１７０を通らずに用紙Ｐが搬送される第１の経路と、第２のカール矯正部１７０を経由して用紙Ｐが搬送される第２の経路とが選択される。上述したように、第２の搬送路ＰＰ２は大きな曲率半径（例えば半径６０ｍｍ）を有しており、用紙Ｐが単に通過する場合にはカール矯正は行われない。これに対して、第２の経路を通るときは、用紙Ｐは第２のカール矯正部１７０を構成する小径ローラとベルトとによる曲げ力を受けてカール矯正される。これにより、上カールした用紙Ｐが矯正され、概ねフラットの状態の用紙Ｐへと矯正される。
【００３４】
上記切替ゲート１７１は、動作モードが処理なしモードおよび加湿モードの場合、あるいは、第１および第２カール矯正モードであっても下カールを矯正するモードである場合には、第１の経路を用紙Ｐが通過するように設定される。一方、切替ゲート１７１は、動作モードが第１および第２カール矯正モードであって、かつ上カールを矯正するモードである場合には、第２の経路を用紙Ｐが通過するように設定される。
【００３５】
図３は、本実施形態の用紙搬送装置１の構成を、制御部１８０および水の循環流路を中心に示す模式図である。制御部１８０は、用紙搬送装置１を統合的に制御する機能を担っている。制御部１８０としては、ＣＰＵ、ＲＯＭ、ＲＡＭ、Ｉ／Ｏインターフェースを主体に構成されたマイクロコンピュータを用いることができる。この制御部１８０は、ＲＯＭに格納された制御プログラムに従い、各種の演算を行い、この演算結果に基づいて用紙搬送装置１の動作状態を制御する。
【００３６】
本実施形態との関係において、制御部１８０は、冷却流路１５０のポンプ１５１を動作させることにより、冷却流路１５０において水を循環させ、これにより、画像形成装置からの用紙Ｐの冷却を行う。また、制御部１８０は、各給水流路１４０Ａ，１４０Ｂのポンプ１４１Ａ，１４１Ｂをそれぞれ動作させることにより、給水流路１４０Ａ，１４０Ｂにおいて水をそれぞれ循環させ、これにより、給水槽１２３Ａ，１２３Ｂに水をそれぞれ供給する。
【００３７】
冷却流路１５０のポンプ１５１を動作させた場合、タンク１３０内の水は以下に示すように冷却流路１５０を流れる。具体的には、タンク１３０内の水は、冷却流路１５０へと導入され、そして、水冷却部１５２を通過する。後述するようにタンク１３０に貯えられる水は用紙Ｐおよび第１の搬送路ＰＰ１の有する熱に応じて加温されているため、水冷却部１５２では、水と空気（ファン１５３からの送風を含む）との間で熱交換が行われ、水の有する熱が放熱（冷却）される。水冷却部１５２を通過することにより冷却された水は、その後、熱交換部１５４を通過する。熱交換部１５２では、冷却された水と、第１の搬送路ＰＰ１を搬送される用紙Ｐまたは当該用紙Ｐの有する熱により加熱された第１の搬送路ＰＰ１との間で熱交換が行われる。この熱交換により、用紙Ｐまたは第１の搬送路ＰＰ１の有する熱が放熱されるため、用紙Ｐまたは第１の搬送路ＰＰ１が冷却されるとともに、熱交換部１５４を通過する水が加温される。熱交換部１５４を通過することにより加温された水は、その後、タンク１３０へと戻る。このようにタンク１３０へと戻る水が熱交換部１５４を通過することによって加温されているため、タンク１３０内には暖められた水が貯えられることとなる。
【００３８】
また、各給水流路１４０Ａ，１４０Ｂのポンプ１４１Ａ，１４１Ｂをそれぞれ動作させることにより、タンク１３０内の水は以下に示すように給水流路１４０Ａ，１４０Ｂをそれぞれ流れる。具体的には、タンク１３０内の水は、給水流路１４０Ａ，１４０Ｂへとそれぞれ導入され、そして、給水槽１２３Ａ，１２３Ｂにそれぞれ供給される。各給水槽１２３Ａ，１２３Ｂに供給された水は、その一部が給水ローラ１２２Ａ，１２２Ｂに含水され用紙Ｐの加湿に供されるとともに、所定容量以上の水は、オーバーフロー構造により、給水流路１４０Ａ，１４０Ｂを経てタンク１３０へと戻される。上述したように、タンク１３０内には暖められた水が貯えられている関係上、用紙Ｐの加湿に供される水にも、この暖められた水が用いられることとなる。
【００３９】
また、制御部１８０は、温度センサ１３２によって検出されるタンク１３０の水の温度に応じて、ヒータ１３１を作動させることにより、必要に応じて、タンク１３０内の水、すなわち、給水槽１２３Ａ，１２３Ｂに供給される水を加温することができる。
【００４０】
図４は、ヒータ１３１による調温制御の動作を示すフローチャートである。このフローチャートに示す処理は、例えば、用紙搬送装置１の電源投入に応じて、制御部１８０によって実行される。
【００４１】
まず、ステップ１０（Ｓ１０）において、制御部１８０は、冷却流路１５０のポンプ１５０および各給水流路１４０Ａ，１４０Ｂのポンプ１４１Ａ，１４１Ｂをそれぞれ動作させる。これにより、水の循環を開始する。そして、ステップ１１（Ｓ１１）において、制御部１８０は、温度センサ１３２を通じて、タンク１３０内の水の温度Ｔｗを検出する。
【００４２】
ステップ１２（Ｓ１２）において、制御部１８０は、検出された水の温度Ｔｗが、判定温度Ｔth以下か否かを判断する。この判定温度Ｔthは、加湿に用いられる水の乾燥性能を考慮して決定されており、当該水が乾燥性能を低下させない程度に暖まっているか否かを切り分けるための温度として設定されている。このステップ１２において肯定判定された場合、すなわち、検出された水の温度Ｔｗが判定温度Ｔth以下の場合には、ステップ１３（Ｓ１３）に進む。一方、ステップ１２において否定判定された場合、すなわち、検出された水の温度Ｔｗが判定温度Ｔthよりも大きい場合には、ステップ１４（Ｓ１４）に進む。
【００４３】
ステップ１３において、制御部１８０は、ヒータ１３１をオンするとともに、制御フラグＦｌａｇを「１」にセットする。この制御フラグＦｌａｇは、ヒータ１３１の動作状態を判定するためのフラグであり、初期的には「０」にセットされている。
【００４４】
ステップ１４において、制御部１８０は、制御フラグＦｌａｇが「１」であるか否かを判定する。このステップ１４において肯定判定された場合、すなわち、制御フラグＦｌａｇが「１」である場合には、ステップ１５（Ｓ１５）に進む。一方、ステップ１４において否定判定された場合、すなわち、制御フラグＦｌａｇが「０」である場合には、本ルーチンを抜ける。
【００４５】
ステップ１５において、制御部１８０は、ヒータ１３１をオフするとともに、制御フラグＦｌａｇを「０」にリセットした後に、本ルーチンを抜ける。
【００４６】
このように本実施形態によれば、用紙搬送装置１は、タンク１３０と、水冷却部１５２と、熱交換部１５４と、加湿部１１０とを有することを特徴の一つとしている。ここで、水冷却部１５２は、タンク１３０から流出した水を冷却し、熱交換部１５４は、発熱部である搬送過程にある用紙Ｐあるいは当該用紙Ｐにより加熱される第１の搬送路ＰＰ１と、水冷却部１５２による冷却後の水との間で熱交換を行うことにより、発熱部の放熱を行う。そして、加湿部１１０は、熱交換部１５４を通過した水、本実施形態では、熱交換部１５４を通過した後にタンク１３０に貯えられる水を用いて、用紙Ｐに対する加湿を行う。
【００４７】
画像形成装置から導入される用紙Ｐは、用紙Ｐへトナー像を定着させる際に加圧加熱されることにより熱を有している。そこで、この用紙Ｐあるいは第１の搬送路Ｐと、加湿用の水との間で熱交換を行うことにより、加湿用の水を温めることができる。そして、この暖められた水を用いて加湿部１１０が用紙Ｐへの加湿を行うことで、常温の水を用いて加湿を行う場合と比較して、加湿後の用紙Ｐの乾燥性能の向上を図ることができる。加湿後の用紙Ｐが十分に乾燥されていない場合には、加湿によって与えられた水が搬送ローラ等の搬送路形成部材に蓄積するといった事態を生じるおそれがあるが、本実施形態によれば、暖められた水を用いていることで、このような事態の発生を抑制することができる。また、乾燥性能が高められるため、乾燥ファン１２４Ａ，１２４Ｂの小型化や設置個数の減少を図ることができるので、装置の省エネルギー化を図ることができる。
【００４８】
また、本実施形態によれば、機内に存在する発熱部、具体的には、画像形成装置から導入された直後の用紙Ｐあるいはその搬送路ＰＰ１の熱を冷却し、冷却によって得られた熱によって加湿に供する水を温めている。このように、排熱を用いることで、装置内で有効に熱利用を行うことができる。
【００４９】
また、本実施形態によれば、タンク１３０に蓄えられた水が循環する循環流路として、第１の系統の循環流路である給水流路１４０Ａ，１４０Ｂと、第２の系統の循環流路である冷却流路１５０とを有している。かかる構成によれば、冷却流路１５０を循環した水、すなわち、熱交換部１５４を通過して暖められた水がタンク１３０に一旦貯えられ、このタンク１３０内の水が給水流路１４０Ａ，１４０Ｂを循環することとなる。タンク１３０はある程度の容量を備えているため、タンク１３０内の水の温度の変動が少なく、暖められた水を加湿部１１０に安定的に供給することができる。
【００５０】
また、本実施形態によれば、装置の電源投入時といったように、システムを起動したばかりで、タンク１３０内の水が冷えているようなシーンでは、水が一定温度以上となるようにヒータ１３１による加温が行われる。かかる構成によれば、ヒータ１３１により水が強制的に加温されることで、用紙Ｐの乾燥性能の向上を早期に図ることができる。また、その後、用紙Ｐからの熱も受け、タンク１３０内の水の加温がなされれば、ヒータ１３１を継続的に動作させるといった必要もないので、ヒータ１３１を常時動作させるといった事態を抑制することができる。
【００５１】
図５は、本実施形態の変形例としての用紙搬送装置１の構成を、制御部１８０および水の循環流路を中心に示す模式図である。上述した実施形態では、用紙Ｐの冷却に用いる流路（冷却流路）１５０と、用紙Ｐの加湿に用いる流路（給水流路）１４０とを独立した系統として構成している。しかしながら、本実施形態は、用紙Ｐの冷却を行うことにより加温された水を用紙Ｐの加湿に用いるような流路構成であればよく、その流路を一系統の流路としてもよい。
【００５２】
具体的には、図５に示すように、本変形例では、給水流路１４０において、各給水槽１２３Ａ，１２３Ｂへとタンク１３０内の水を導く流路が省略されているとともに、冷却流路１５０において、熱交換部１５４からタンク１３０へ水を導く流路が省略されている。一方で、本変形例の用紙搬送装置１には、熱交換部１５４を通過した水を各給水槽１２３Ａ，１２３Ｂへ導くための中継流路１９０が設けられている。この中継流路１９０により、用紙Ｐの冷却により暖められた水を各給水槽１２３Ａ，１２３Ｂへとダイレクトで供給することができる。
【００５３】
かかる構成によれば、給水流路１４０において、各給水槽１２３Ａ，１２３Ｂへとタンク１３０内の水を導く流路、および、ポンプ１４１Ａ，１４１Ｂを省略することができるので、装置構成の簡素化を図ることができる。
【００５４】
なお、図５に示す構成の場合、ヒータ１３１は、加湿部１１０、具体的には、給水槽１２３Ａ，１２３Ｂに供給される水を暖めるようにとの観点から、中継流路１９０に設けることが好ましい。同様に、温度センサ１３２は、加湿部１１０、具体的には、給水槽１２３Ａ，１２３Ｂに供給される水の温度を検出するとの観点から、中継流路１９０に設けることが好ましい。
【００５５】
また、上述した実施形態では、用紙Ｐの冷却を行う手法として、第１の搬送路ＰＰ１を介して熱交換部１５４により用紙Ｐの冷却を行った。しかしながら、用紙Ｐに対する冷却手法としては、これに限定されない。例えば、第１の搬送路ＰＰ１に設けられたローラＲ１の内部（例えば、ローラ軸）に水を流通可能な構成とし、冷却流路１５０を当該ローラＲ１に接続することで、ローラＲ１を介して用紙Ｐと水との間で熱交換を行ってもよい。
【００５６】
なお、本実施形態では、用紙搬送装置１が制御部１８０を備える構成であったが、他の装置（例えば、画像形成装置や後処理装置）と組み合わせて使用する場合には、制御部１８０を省略し、他の装置の制御部によってその機能を実行することも可能である。
【００５７】
（第２の実施形態）
図６は、本発明の第２の実施形態にかかる画像形成システムの構成を模式的に示す説明図である。この画像形成システムは、用紙Ｐ上に画像を形成する複写機やプリンタなどの電子写真方式の画像形成装置２と、用紙搬送装置１とを備える。用紙搬送装置１の構成は、第１の実施形態に示す用紙搬送装置１の構成と基本的に同じであり、用紙搬送装置１については、第１の実施形態との相違点を中心に説明を行う。
【００５８】
画像形成装置２は、複数の感光体を一本の中間転写ベルトに対面させて縦方向に配列したフルカラーの画像を形成する装置、いわゆる、タンデム型カラー画像形成装置である。この画像形成装置２は、原稿読取部１０、露光部２０Ｙ，２０Ｍ，２０Ｃ，２０Ｋ、画像形成部３０Ｙ，３０Ｍ，３０Ｃ，３０Ｋ、中間転写部４０、定着部５０、排出反転部６０、再給紙部７０、給紙部８０、制御部９０（図６において図示せず）等から構成され、それらが一つの筐体内に収められている。
【００５９】
また、画像形成装置２は、その上部に自動原稿送り装置ＡＤＦを備えている。自動原稿送り装置ＡＤＦの原稿載置台１５に載置された原稿Ｄは、一枚ずつ分離され原稿搬送路に送り出され、搬送ドラム１６により搬送される。第１搬送ガイドＧ１および原稿排出ローラ１７は、搬送ドラム１６により搬送された原稿Ｄを原稿排出トレイ１８に排出する。
【００６０】
原稿読取部１０は、原稿画像読み取り位置ＲＰにおいて、搬送ドラム１６により搬送中の原稿Ｄの画像を読み取る。具体的には、原稿読取部１０は、原稿画像読み取り位置ＲＰにて原稿の画像をランプＬにて照射し、その反射光を第１ミラーユニット１１、第２ミラーユニット１２、レンズ１３によって導き、撮像素子ＣＣＤの受光面に結像させる。撮像素子ＣＣＤは入射した光を光電変換して所定の画像信号を出力する。画像読取制御部１４は、この画像信号に対して、Ａ／Ｄ変換、シェーディング補正、圧縮等の処理を施し、制御部９０の記憶部に画像データとして格納する。記憶部に格納された画像データには、ユーザにより設定されている条件により適宜な画像処理が施されて、出力画像データが生成される。
【００６１】
露光部２０Ｙ〜２０Ｋは、図示しないレーザ光源、ポリゴンミラー、複数のレンズ等から構成され、レーザビームを生成する。露光部２０Ｙ〜２０Ｋは、出力画像データを基に制御部９０から出力される出力情報に対応して、画像形成部３０Ｙ〜３０Ｋの構成要素である、後述する感光体３１Ｙ，３１Ｍ，３１Ｃ，３１Ｋの表面をレーザビームにより走査露光する。レーザビームの走査露光により、感光体３１Ｙ〜３１Ｋには潜像が形成される。
【００６２】
画像形成部３０Ｙは、感光体３１Ｙと、その周辺に配置されている、主帯電部３２Ｙ、現像部３３Ｙ、第１転写ローラ３４Ｙおよびクリーニング部３５Ｙとから構成される。他の画像形成部３０Ｍ，３０Ｃ，３０Ｋにおいても、画像形成部３０Ｙと同様な構成であり、感光体３１Ｍ、３１Ｃ、３１Ｋの周辺に、それぞれに対応して主帯電部３２Ｍ，３２Ｃ，３２Ｋ、現像部３３Ｍ，３３Ｃ，３３Ｋ、第１転写ローラ３４Ｍ，３４Ｃ，３４Ｋ、クリーニング部３５Ｍ，３５Ｃ，３５Ｋが配置されている。
【００６３】
現像部３３Ｙ〜３３Ｋは、トナーで現像することによって感光体３１Ｙ〜３１Ｋ上の潜像を顕像化する。これにより、各感光体３１Ｙ〜３１Ｋ上にはトナー像が形成される。
【００６４】
第１転写ローラ３４Ｙ〜３４Ｋは、感光体３１Ｙ〜３１Ｋ上に形成されたトナー像を中間転写部４０の中間転写ベルト（中間転写体）４１上の所定位置に逐次転写する。クリーニング部３５Ｙ〜３５Ｋは、トナー像の転写を終えた感光体３１Ｙ〜３１Ｋの表面に残留するトナーを除去する。
【００６５】
一方、第２転写ローラ４２は、中間転写ベルト４１上に転写されたトナー像を、給紙部８０のトレイＰＧ１，ＰＧ２，ＰＧ３から搬送され、給紙ローラ８１によってタイミングが取られて送り出された用紙Ｐに転写する。ベルトクリーニング部４３は、トナー像の用紙Ｐへの転写を終えた中間転写ベルト４１の表面を清掃し、清掃された中間転写ベルト４１は次の画像転写に供される。
【００６６】
トナー像を担持した用紙Ｐは定着部５０に送られ、定着部５０は用紙Ｐを加圧加熱することによって、トナー像を用紙Ｐへ定着させる。
【００６７】
排出反転部６０は、定着部５０による定着処理を終えた用紙Ｐを搬送して、用紙搬送装置１へ排出する。用紙Ｐを表裏反転して排出する場合には、排出ガイド６２が、一旦、用紙Ｐを下方に導き、排出反転ローラ６３に用紙Ｐの後端を挟持させた後に反転搬送し、排出ガイド６２が用紙Ｐを排出ローラ６４へ導いて排出する。
【００６８】
なお、用紙Ｐの裏面にも画像形成を行う場合、排出ガイド６２は、表面のトナー像の定着処理を終えた用紙Ｐを下方にある再給紙部７０に搬送し、再給紙反転ローラ７１により後端を挟持させた後、逆送することによって用紙Ｐを反転させて、再給紙搬送路７２に送り出し、裏面への画像形成に供する。
【００６９】
また、本実施形態の特徴の一つとして、画像形成装置１には、用紙搬送装置１の冷却流路１５０（以下「第１の冷却流路１５０」という）と、図示しないジョイントを介して接続される第２の冷却流路２００が設けられている。第２の冷却流路２００は、用紙搬送装置１における第１の冷却流路１５０から分岐した水を、機内を循環させた後に第１の冷却流路１５０へと帰還させる流路である。この第２の冷却流路２００には、４つの現像部３３Ｙ〜３３Ｋに対応して設けられた第２の熱交換部３６Ｙ，３６Ｍ，３６Ｃ，３６Ｋがそれぞれ接続されている。
【００７０】
第２の熱交換部３６Ｙ〜３６Ｋのそれぞれは、対応する現像部３３Ｙ〜３３Ｋに面接触した状態で配置されており、現像部３３Ｙ〜３３Ｋと、内部を通過する水との間で熱交換が行われることにより、現像部３３Ｙ〜３３Ｋを冷却する。第２の熱交換部３６Ｙ〜３６Ｋは、図２に示す熱交換部１５４（以下「第１の熱交換部１５４」という）と同様に、板状部材の内部に流路が張り巡らされており、これにより、現像部３３Ｙ〜３３Ｋを効率的に冷却できるようになっている。
【００７１】
一方、用紙搬送装置１は、以下の構成において、第１の実施形態と相違する。具体的には、第１の冷却流路１５０において、水冷却部１５２と第１の熱交換部１５４との間には、画像形成装置２側の第２の冷却流路２００を第１の冷却流路１５０に接続するための一対の分岐流路が設けられている。一方の分岐流路と第１の冷却流路１５０との接続部位には、三方弁２０１が設けられているとともに、他方の分岐流路には、遮断弁２０２が設けられている。これらの弁２０１，２０２は、通常、水冷却部１５２を通過した水が、第２の冷却流路２００を経由した上で、第１の冷却流路１５０へ帰還するように設定されている。また、これらの弁２０１，２０２を調節することにより、水冷却部１５２を通過した水を、第２の冷却流路２００を経由させずに第１の冷却流路１５０のみに循環させることができる。かかる循環形態は、第２の冷却流路２００を備えないような画像形成装置２に対して用紙搬送装置１を適用する場合、あるいは、第２の冷却流路２００を備える画像形成装置２であっても、第１の冷却流路１５０のみで水を循環する場合に有効となる。
【００７２】
図７は、本実施形態の画像形成システムの構成を、画像形成装置１の制御部９０および水の循環流路を中心に示す模式図である。制御部９０は、画像形成装置２および用紙搬送装置１を統合的に制御する機能を担っている。制御部９０としては、ＣＰＵ、ＲＯＭ、ＲＡＭ、Ｉ／Ｏインターフェースを主体に構成されたマイクロコンピュータを用いることができる。この制御部９０は、ＲＯＭに格納された制御プログラムに従い、各種の演算を行い、この演算結果に基づいて画像形成装置２および用紙搬送装置１の動作状態を制御する。
【００７３】
本実施形態との関係において、制御部９０は、第１の冷却流路１５０のポンプ１５１を動作させることにより、第１の冷却流路１５０および第２の冷却流路２００において水を循環させ、これにより、画像形成装置２内の現像部３３Ｙ〜３３Ｋおよび用紙搬送装置１に搬送された用紙Ｐの冷却を行う。また、制御部９０は、各給水流路１４０Ａ，１４０Ｂのポンプ１４１Ａ，１４１Ｂをそれぞれ動作させることにより、給水流路１４０Ａ，１４０Ｂにおいて水をそれぞれ循環させ、これにより、給水槽１２３Ａ，１２３Ｂに水をそれぞれ供給する。
【００７４】
また、制御部９０は、温度センサ１３２によって検出されるタンク１３０の水の温度に応じて、ヒータ１３１を作動させることにより、必要に応じて、タンク１３０内の水、すなわち、給水槽１２３Ａ，１２３Ｂに供給される水を加温することができる。
【００７５】
第１の冷却流路１５０のポンプ１５１を動作させた場合、タンク１３０内の水は以下に示すように流れる。具体的には、タンク１３０内の水は、第１の冷却流路１５０へと導入され、そして、水冷却部１５２を通過する。水冷却部１５２では、水と空気（ファン１５３からの送風を含む）との間で熱交換が行われ、水の有する熱が放熱（冷却）される。水冷却部１５２を通過することにより冷却された水は、その後、画像形成装置１側の第２の冷却流路２００へと導入され、第２の熱交換部３６Ｙ〜３６Ｋのそれぞれを順次通過する。各第２の熱交換部３６Ｙ〜３６Ｋでは、冷却された水と、現像部３３Ｙ〜３３Ｋとの間で熱交換が行われる。この熱交換により、現像部３３Ｙ〜３３Ｋの有する熱が放熱されるため、現像部３３Ｙ〜３３Ｋが冷却されるとともに、第２の熱交換部３６Ｙ〜３６Ｋを通過する水が加温される。第２の熱交換部３６Ｙ〜３６Ｋを通過することにより加温された水は、その後、第１の冷却流路１５０へと戻り、その後、第１の熱交換部１５４を通過する。
【００７６】
第１の熱交換部１５４では、第２の冷却流路２００から帰還した水と、第１の搬送路ＰＰ１を搬送される用紙Ｐまたは当該用紙Ｐ１の有する熱により加熱された第１の搬送路ＰＰ１との間で熱交換が行われる。この熱交換により、用紙Ｐまたは第１の搬送路ＰＰ１の有する熱が放熱されるため、用紙Ｐ１または第１の搬送路ＰＰ１が冷却されるとともに、第１の熱交換部１５４を通過する水が加温される。第１の熱交換部１５４を通過することにより加温された水は、その後、タンク１３０へと戻る。このようにタンク１３０へと戻る水が第２の熱交換部３６Ｙ〜３６Ｍおよび第１の熱交換部１５４を通過することによって加温されているため、タンク１３０内には暖められた水が貯えられることとなる。
【００７７】
このように本実施形態によれば、現像部３３Ｙ〜３３Ｋと加湿用の水とで熱交換を行うとともに、用紙Ｐあるいは第１の搬送路ＰＰ１と加湿用の水との間で熱交換を行うことにより、加湿用の水を効果的に温めることができる。そして、この暖められた水を用いて加湿部１１０が用紙Ｐへの加湿を行うことで、常温の水を用いて加湿を行う場合と比較して、加湿後の用紙Ｐの乾燥性能の向上を図ることができる。加湿後の用紙Ｐが十分に乾燥されていない場合には、加湿によって与えられた水が搬送ローラ等の搬送路形成部材に蓄積するといった事態を生じるおそれがあるが、本実施形態によれば、暖められた水を用いていることで、このような事態の発生を抑制することができる。また、乾燥性能が高められるため、乾燥ファン１２４Ａ，１２４Ｂの小型化や設置個数の減少を図ることができるので、装置の省エネルギー化を図ることができる。
【００７８】
また、本実施形態によれば、機内に存在する発熱部、具体的には、画像形成装置１の現像部３３Ｙ〜３３Ｋの熱、および、用紙搬送装置１に導入された直後の用紙Ｐあるいはその搬送路ＰＰ１の熱をそれぞれ冷却し、冷却によって得られた熱によって加湿に供する水を温めている。これにより、システム内で有効に熱利用を行うことができる。
【００７９】
以上、本発明の実施形態にかかる用紙搬送装置および画像形成システムについて説明したが、本発明は上述した実施形態に限定されることなく、その発明の範囲内において種々の変形が可能であることはいうまでもない。例えば、上述した実施形態において、その冷却を行うことにより加湿用の水を加温する発熱部として、画像形成装置から排出される用紙およびその搬送路や、画像形成装置の定着部を例示したが、本発明をこれに限定されない。例えば、発熱部に相当する構成要素としては、電源ボックス、用紙を加熱するヒータ、光を放出する発光部、回転動力を発生するモータ、電子回路が形成された基板などを用いることができる。また、画像形成システムとして用紙搬送装置の後段に、用紙に対して種々の処理（折りやステープルといった処理）を行う後処理装置を構成する場合には、当該装置において発熱部に相当する構成要素を用いることもできる。
【００８０】
また、上述した各実施形態では、用紙搬送装置が、その機能の一つして加湿を行うものであるが、装置内の熱利用により加湿用の水を温め、この水を用いて用紙に対する加湿を行うという用紙加湿装置自体も本発明の一部として機能する。
【符号の説明】
【００８１】
１    用紙搬送装置
２    画像形成装置
１０    原稿読取部
２０Ｙ，２０Ｍ，２０Ｃ，２０Ｋ    露光部
３０Ｙ，３０Ｍ，３０Ｃ，３０Ｋ    画像形成部
４０    中間転写部
５０    定着部
６０    排紙反転部
７０    再給紙部
９０    制御部
１０１    導入部
１０２    切替ゲート
１１０    加湿部
１２０Ａ，１２０Ｂ    加湿ユニット
１２１Ａ，１２１Ｂ    加湿ローラ
１２２Ａ，１２２Ｂ    給水ローラ
１２３Ａ，１２３Ｂ    給水槽
１２４Ａ，１２４Ｂ    乾燥ファン
１３０    タンク
１４０Ａ，１４０Ｂ    給水流路
１４１Ａ，１４１Ｂ    ポンプ
１５０    冷却流路（第１の冷却流路）
１５１    ポンプ
１５２    水冷却部
１５３    冷却ファン
１５４    熱交換部（第１の熱交換部）
１６０    第１のカール矯正部
１６１    切替ゲート
１７０    第２のカール矯正部
１７１    切替ゲート
１８０    制御部
２００    第２の冷却流路
【図１】
2011105453.tif 000003
【図２】
2011105453.tif 000004
【図３】
2011105453.tif 000005
【図４】
2011105453.tif 000006
【図５】
2011105453.tif 000007
【図６】
2011105453.tif 000008
【図７】
2011105453.tif 000009